(57)【要約】  イオン式美容機器１は使用者の片手によって把持される筐体２と、使用者の所要部分に接触される美容用電極３と、上記筐体２を把持する使用者の手に接触される把持用電極４とを備え、上記筐体２には使用者の手により包むように把持される把持部Ｇが形成されている。また当該把持部Ｇの図示右側側面部Ｒには使用者の親指が接触する親指用接触部Ｒａが、図示左側側面部Ｌには使用者の人差指が接触する人差指用接触部Ｌａがそれぞれ形成され、これら親指用接触部Ｒａおよび人差指用接触部Ｌａにそれぞれ把持用電極４が設けられている。  そして上記美容用電極３は、筐体２の正面部Ｆにおける上記親指用接触部Ｒａおよび人差指用接触部Ｌａを結ぶ直線上に設けられている。  使用中における把持用電極と使用者との接触面積が一定となり、不均一電流による火傷を防止することができる。【特許請求の範囲】
【請求項１】
使用者の片手によって把持される筐体と、使用者の所要部分に接触される美容用電極と、上記筐体を把持する使用者の手に接触される把持用電極とを備えたイオン式美容機器において、
上記筐体は、先端部と末端部とを有し、少なくともその先端部を使用者の手により包むように把持される把持部とすると共に、
当該把持部は、上記使用者の手のひらが接触する背面部と、当該背面部に対向するとともに上記美容用電極の設けられた正面部と、これら背面部および正面部に隣接する側面部とを備え、
上記側面部のうち、一方の側面部には、使用者の親指が接触する親指用接触部と、当該親指用接触部よりも末端部側の親指の付根用接触部とが形成され、
他方の側面部には、使用者の人差指が接触する人差指用接触部と、当該人差指用接触部よりも末端部側のその他の指用接触部とが形成され、
上記把持用電極は上記親指用接触部および人差指用接触部の位置に設けられ、上記美容用電極は、上記親指用接触部および人差指用接触部と同一直線上、もしくはそれよりも上記末端部側に設けられていることを特徴とするイオン式美容機器。
【請求項２】
上記把持用電極は、上記親指用接触部および人差指用接触部の２ヶ所に設けられていることを特徴とする請求項１に記載のイオン式美容機器。
【請求項３】
上記把持用電極に使用者の親指および人差指の第１関節よりも先端側の部分を位置決めする凹部を形成することを特徴とする請求項１または請求項２のいずれかに記載のイオン式美容機器
【請求項４】
上記美容用電極に、超音波発生手段を設けることを特徴とする請求項１ないし請求項３のいずれかに記載のイオン式美容機器。
【発明の詳細な説明】
【技術分野】
【０００１】
本発明はイオン式美容機器に関し、具体的には使用者の所要部分に接触される美容用電極と、使用者の手に接触される把持用電極とを備えたイオン式美容機器に関する。
【背景技術】
【０００２】
従来、美容を目的として、皮膚に微弱な電流を流し、水溶性のビタミンＣなどの有効成分を皮膚内に浸透させるイオン導入や、皮膚内の老廃物等を除去するイオン導出が行われており、このイオン導入やイオン導出には以下のようなイオン式美容機器が使用されている。
第１のイオン式美容機器として、細長扁平容器形の本体１１と、当該本体１１の正面の一側に設けられた関電極７と、本体の裏面に設けられた不関電極９とを備えたものが知られている。（特許文献１）
この特許文献１のイオン式美容機器の場合、使用者は本体１１を裏面側より把持し、このとき上記不関電極９と掌とが接触するようにした状態で、上記関電極７を顔面など美容効果を得たい部分に接触させるようになっている。
第２のイオン式美容機器として、略円盤状のベース筐体部５と、当該ベース筐体部の正面中央部より突出してその先端にイオン導入電極６を設けた突状筐体部と、上記ベース筐体部の裏面側に設けられた把持電極１０とを備えたものが知られている。（特許文献２）
この特許文献２のイオン式美容機器の場合も、使用者は筐体部５を裏面側より把持し、このとき上記把持電極１０と人差指の付け根もしくは掌とが接触するようにした状態で、上記イオン導入電極６を顔面など美容効果を得たい部分に接触させるようになっている。
【特許文献１】特開２００３−１０３４３号公報
【特許文献２】特開２００４−２０９１０２号公報
【発明の開示】
【発明が解決しようとする課題】
【０００３】
しかしながら、上記特許文献１、２におけるイオン式美容器の場合、上記美容用電極（関電極７、イオン導入電極６）を所要の位置に移動させる際に、上記把持用電極（不関電極９、把持電極１０）と使用者の指または掌の接触面積が変化してしまうことがある。
すると、美容用電極から把持用電極に流れる電流が不均一となり、特に上記把持用電極との接触面積が狭くなると、当該部分に電流が集中的に流れ、最悪の場合当該部分に火傷を生じさせることがあった。
このような問題に鑑み、使用中に把持用電極と使用者との接触面積が一定となるようなイオン式美容機器を提供するものである。
【課題を解決するための手段】
【０００４】
すなわち、本発明におけるイオン式美容機器は、使用者の片手によって把持される筐体と、使用者の所要部分に接触される美容用電極と、上記筐体を把持する使用者の手に接触される把持用電極とを備えたイオン式美容機器において、
上記筐体は、先端部と末端部とを有し、少なくともその先端部が使用者の手により包むように把持される把持部とすると共に、
当該把持部は、上記使用者の手のひらが接触する背面部と、当該背面部に対向するとともに上記美容用電極の設けられた正面部と、これら背面部および正面部に隣接する側面部とを備え、
上記側面部のうち、一方の側面部には、使用者の親指が接触する親指用接触部と、当該親指用接触部よりも末端部側の親指の付根用接触部とが形成され、
他方の側面部には、使用者の人差指が接触する人差指用接触部と、当該人差指用接触部よりも末端部側のその他の指用接触部とが形成され、
上記把持用電極は上記親指用接触部および人差指用接触部の位置に設けられ、上記美容用電極は、上記親指用接触部および人差指用接触部と同一直線上、もしくはそれよりも上記末端部側に設けられていることを特徴としている。
【発明の効果】
【０００５】
上記発明によれば、美容用電極が親指用接触部および人差指用接触部と同一直線上もしくはそれよりも末端部側に設けられるので、美容用電極は上記把持部における使用者の手のひらの反対側に位置し、イオン式美容機器を持ち替えなくとも、美容用電極３を所要の位置に移動させることができる。
そのうえで、親指用接触部および人差指用接触部の位置に把持用電極を設けることで、使用者によるイオン式美容機器の使用中、親指および人差し指が把持用電極４ずれにくくなって、使用者との接触面積が変動しにくくなることから、不均一電流による使用者の火傷が発生するのを防止することができる。
【発明を実施するための最良の形態】
【０００６】
以下図示実施例について説明すると、図１、図２は本実施例におけるイオン式美容機器１を示し、このイオン式美容機器１は、樹脂製の筐体２と、当該筐体２の上部正面に設けられた半球状の美容用電極３と、筐体２の両側面に設けられた略楕円形状の把持用電極４とを備え、上記美容用電極３の下方には４つのＬＥＤ５と３つのスイッチ６とが設けられている。
上記筐体２は図１に想像線で示した使用者の手により把持される把持部Ｇを形成しており、筐体２全体が使用者の手のひらに納まるように形成されている。
上記把持部Ｇは、上記使用者の手のひらが接触する背面部Ｂと、当該背面部Ｂに対向するとともに上記美容用電極３の設けられた正面部Ｆと、これら背面部Ｂおよび正面部Ｆに隣接する側面部Ｒ、Ｌとを備えている。
図示右方の側面部Ｒの先端部（図示上方）には、当該先端部に向けて傾斜すると共に親指が接触する親指用接触部Ｒａが、図示左方の側面部Ｌの先端部には、先端部に向けて傾斜すると共に人差指が接触する人差指用接触部Ｌａがそれぞれ設けられている。
さらに、上記親指用接触部Ｒａの末端部（図示下方）側には筐体２の中央に向けて縮径する親指の付根用接触部Ｒｂが、上記人差指用接触部Ｌａの末端部側には筐体２の中央に向けて縮径する親指および人差指以外のその他の指用接触部Ｌｂが形成されている。
そして、上記親指用接触部Ｒａおよび人差指用接触部Ｌａの２ヶ所には、それぞれ導電性の上記把持用電極４が設けられ、各把持用電極４の中央に凹部４ａを形成することで、使用者の親指および人差指の第１関節よりも先端部分が当該凹部４ａに収容され、親指や人差指の位置決めを行っている。
上記把持用電極４としては、樹脂部品の表面に導電性のメッキを施したものや、金属製のものを使用することができる。【０００７】
次に、図３はイオン式美容機器１を図１におけるＩＩＩ−ＩＩＩ部で切断した図を示し、上記筐体２は上記側面部Ｒ，Ｌの中央で正面部Ｆを含む表面側ケース２ａと、背面部Ｂを含む裏面側ケース２ｂとに分割可能とされ、これらは両ケース２ａ、２ｂの上方でビス７によって相互に固定されるようになっている。
上記美容用電極３は導電性で略半球状の形状を有し、表面側ケース２ａの上方より外部に突出し、上記親指用接触部Ｒａおよび人差指用接触部Ｌａを結んだ線上に位置している。
この美容用電極３としては、樹脂部品の表面に導電性のメッキを施したものや、金属製のものを使用することができる。
また美容用電極３の底面からは拡径する方向にフランジ３ａが突出しており、このフランジ３ａを表面側ケース２ａ及びリング状の取り付け部材８によって挟持することで、美容用電極３を表面側ケース２ａに固定するようになっている。
さらに、美容用電極３の底面中央には、従来公知の振動素子９が固定されており、後述するコントロール基板１２による信号により当該振動素子９を振動させることで、美容用電極３から超音波が発生するようになっている。【０００８】
上記裏面側ケース２ｂには従来公知の充電池１０が設けられており、この充電池１０は両ケース２ａ，２ｂの下端に設けられた接続口１１と図示しない導線によって接続されており、上記接続口１１に図示しない電源プラグを挿入することで、充電池１０に充電を行うことができるようになっている。
さらに、表面側ケース２ａと裏面側ケース２ｂとの間には、上記美容用電極３、把持用電極４、振動素子９と図示しない導線によって接続されたコントロール基板１２が設けられており、上記充電池１０からの電力により、上記美容用電極３や把持用電極４に電流を印加したり、上記振動素子９を振動させるようになっている。
このコントロール基板１２は上記スイッチ６によって操作可能となっており、このスイッチ６を操作することで、イオン導入、イオン導出、超音波マッサージの各機能を選択的に使用することができ、選択された機能や電源のＯＮ／ＯＦＦに関する情報は上記ＬＥＤ５に表示されるようになっている。【０００９】
以上のような構成を有するイオン式美容機器１の使用方法について説明すると、使用者は予め美容効果を得たい所要の部分にビタミンＣなどの有効成分を含んだ化粧水を塗布しておく。
その状態から使用者はイオン式美容機器１を筐体２の背面部Ｂより把持し、親指及び人差指で上記親指用接触部Ｒａおよび人差指用接触部Ｌａの上記把持用電極４を把持し、また親指の付根と親指および人差指以外のその他の指により、それぞれ上記親指の付根用接触部Ｒｂとその他の指用接触部Ｌｂを把持する。
すると、親指及び人差指の第１関節よりも先端部が上記把持用電極４に形成された凹部４ａに収容され、また上記親指の付根用接触部Ｒｂとその他の指用接触部Ｌｂは筐体２の中央に向けて縮径しているので、使用者はイオン式美容機器１をずれないように保持することができる。
そして使用者がイオン式美容機器１を把持していない他方の手により上記スイッチ６を操作することで、上記コントロール基板１２により電流が美容用電極３に印加され、この美容用電極３を上記化粧水を塗布した所要の位置に接触させる。
すると、上記美容用電極３に印加される電流の極性により、イオン導入もしくはイオン導出が行われ、それぞれの美容効果を得ることができる。このとき、印加される電流は直流電流または交流電流の何れかを使用することができる。
なお、上記イオン導入及びイオン導出については従来公知であるので、詳細な説明は省略する。
さらに、使用者はスイッチ６を操作することにより、上記振動素子９を振動させて美容用電極３から超音波を発生させ、当該美容用電極３を所要の位置に接触させることで皮膚のマッサージ効果を得ることができる。なお、この超音波によるマッサージは上記イオン導入やイオン導出と同時に行うことも可能である。【００１０】
このような本実施例のイオン式美容機器１によれば、以下のような効果を得ることができる。
最初に、美容用電極３を親指用接触部Ｒａおよび人差指用接触部Ｌａと同一直線上に設けているので、美容用電極３は使用者の手のひらの反対側に位置し、かつイオン式美容機器１を把持する親指と人差し指に隣接した位置に存在するので、イオン式美容機器１を持ち替えなくとも、美容用電極３を所要の位置に移動させることができる。
しかも、親指用接触部Ｒａおよび人差指用接触部Ｌａに把持用電極４を設け、さらには当該把持用電極４に凹部４ａを形成する事で、使用者の親指や人差し指が把持用電極４に位置決めされ、使用者と把持用電極４との接触面積が変動しにくくなるので、不均一電流による使用者の火傷が発生するのを防止することができる。
これに対し、上記特許文献１のイオン式美容機器１の場合、筐体２が細長であり、不関電極が関電極とは長手方向における反対側の位置に設けられていることから、関電極を所要の位置に移動させる際に、使用者は無意識のうちにイオン式美容機器１を持ち替えてしまい、不関電極と使用者との接触面積が変動して不均一電流による火傷のおそれがあった。
また特許文献２のイオン式美容機器１の場合は、イオン導入電極は使用者の手のひらの反対側に位置するものの、人差し指等で機器の操作を行う際に、把持電極１０と使用者との接触面積が変動し、不均一電流による火傷のおそれがあった。【００１１】
なお、図１では使用者の右手でイオン式美容機器１を把持しているが、親指用接触部Ｒａおよび人差指用接触部Ｌａは左右対称に設けられているので、左手で把持しても、これと同様に把持することができるのは言うまでもない。
また上記実施例において、上記美容用電極４の位置は上記親指用接触部Ｒａおよび人差指用接触部Ｌａを結んだ直線上に位置しているが、これよりも末端部側に位置していても良い。
例えば美容用電極４の位置を、親指の付け根用接触部Ｒｂとその他の指用接触部Ｌｂとを結んだ直線上に位置させてもよい。
さらに、上記実施例では上記把持用電極４が親指用接触部Ｒａ及び人差指用接触部Ｌａの２ヶ所に設けられていたが、これら２ヶ所の把持用電極４を相互に連結したものであっても良い。
具体的には、上記２ヶ所の把持用電極４を筐体２の上部を通して相互に連結させるような構成としても良い。
【図面の簡単な説明】
【００１２】
【図１】本実施例におけるイオン式美容機器の正面図
【図２】上記イオン式美容機器の側面図。
【図３】図１におけるＩＩＩ−ＩＩＩ部での断面図。
【符号の説明】
【００１３】
１  イオン式美容機器            ２  筐体
３  美容用電極                  ４  把持用電極
９  振動素子                    Ｇ  把持部
Ｂ  背面部                      Ｆ  正面部
Ｒ  右側側面部                  Ｒａ  親指用接触部
Ｒｂ  親指の付根用接触部        Ｌ  左側側面部
Ｌａ  人差し指用接触部          Ｌｂ  その他の指用接触部
【図１】
2006120726.tif 000002
【図２】
2006120726.tif 000003
【図３】
2006120726.tif 000004
【国際調査報告】
2006120726.tif 000005
2006120726.tif 000006
2006120726.tif 000007